(57)【要約】【課題】  回転軸部の径を大きくすることなく、清掃体の数を増加させることのできる回転清掃体と、この回転清掃体を備えた電気掃除機を提供する。【解決手段】  長手方向に沿って形成された複数の挿入溝６１,６２,６１,６２を有する回転軸部６５と、複数の挿入溝６１,６２,６１,６２に保持される清掃体７０,７０とを備えた電気掃除機の回転清掃体６０であって、清掃体７０は、複数の挿入溝６１,６２にそれぞれ挿入されて保持される複数の挿入保持部７１,７２と、この複数の挿入保持部７１,７２を連結するとともに回転軸部６５の外周面に沿って配置される連結部７５と、この連結部７５の外周面に設けられるとともに前記長手方向に沿って延び且つ外方に突出したブレード部７６〜７９とを備えている。【選択図】  図５
2006026222.tif 000002
【特許請求の範囲】
【請求項１】
長手方向に沿って形成された複数の挿入溝を有する回転軸部と、前記複数の挿入溝に保持される清掃体とを備えた電気掃除機の回転清掃体であって、
前記清掃体は、前記複数の挿入溝にそれぞれ挿入されて保持される複数の挿入保持部と、この複数の挿入保持部を連結するとともに前記回転軸部の外周面に沿って配置される連結部と、この連結部の外周面に設けられるとともに前記長手方向に沿って延び且つ外方に突出した清掃部材とを備えていることを特徴とする電気掃除機の回転清掃体。
【請求項２】
前記各挿入溝は、その開口の幅が狭く形成され、
前記各挿入保持部は前記開口の幅より広い幅を有し、
前記清掃体は、前記各挿入保持部から前記開口を介して外方へ突出した複数のリブ部を有し、
前記連結部は複数の前記リブ部を連結し、
前記清掃部材は、前記複数のリブ間の前記連結部の外周面に設けられていることを特徴とする請求項１に記載の電気掃除機の回転清掃体。
【請求項３】
前記清掃体は、前記挿入保持部と前記連結部と前記清掃部材とを一体に形成して構成され、この清掃体を複数備えていることを特徴とする請求項１または請求項２に記載の電気掃除機の回転清掃体。
【請求項４】
前記複数のリブの近傍位置と、前記複数のリブの間とに前記清掃部材をぞれぞれ設け、前記リブの近傍位置の清掃部材のコシを前記リブの間の清掃部材のコシより強くしたことを特徴とする請求項２または請求項３に記載の電気掃除機の回転清掃体。
【請求項５】
前記複数のリブの近傍位置と、前記複数のリブの間とに前記清掃部材をぞれぞれ設け、前記リブの近傍位置の清掃部材の高さを前記リブの間の清掃部材の高さより低くしたことを特徴とする請求項２または請求項３に記載の電気掃除機の回転清掃体。
【請求項６】
請求項１ないし請求項５のいずれか１つに記載の回転清掃体を備えていることを特徴とする電気掃除機。
【発明の詳細な説明】
【技術分野】
【０００１】
この発明は、吸込口体に設けられれる回転清掃体と、この回転清掃体を備えた電気掃除機とに関する。
【背景技術】
【０００２】
従来から、図１１および図１２に示す回転清掃体１が知られている（例えば特許文献１参照）。
【０００３】
回転清掃体１は、長手方向に沿って設けた複数の溝３を設けた回転軸部２と、溝３にそれぞれ保持された複数のブレード４とを備えている。
【０００４】
ブレード４は、溝３に挿入された台座部４Ａと、この台座部４Ａに一体形成されるとともに溝３から突出した板状のブレード部４Ｂとを有している。
【特許文献１】特許第３２２２３６４号
【発明の開示】
【発明が解決しようとする課題】
【０００５】
このような回転清掃体１は、回転軸部２に複数のブレード４を設けているため、回転軸部２の径を大きくしなければ、回転軸部２に取り付けるブレード（清掃体）４の数を増やすことができないという問題があった。
【０００６】
この発明の目的は、回転軸部の径を大きくすることなく、清掃体の数を増加させることのできる回転清掃体と、この回転清掃体を備えた電気掃除機を提供することにある。
【課題を解決するための手段】
【０００７】
請求項１の発明は、長手方向に沿って形成された複数の挿入溝を有する回転軸部と、前記複数の挿入溝に保持される清掃体とを備えた電気掃除機の回転清掃体であって、
前記清掃体は、前記複数の挿入溝にそれぞれ挿入されて保持される複数の挿入保持部と、この複数の挿入保持部を連結するとともに前記回転軸部の外周面に沿って配置される連結部と、この連結部の外周面に設けられるとともに前記長手方向に沿って延び且つ外方に突出した清掃部材とを備えていることを特徴とする。
【発明の効果】
【０００８】
この発明によれば、回転軸部の径を大きくすることなく、清掃体の数を増加させることができる。
【発明を実施するための最良の形態】
【０００９】
以下、この発明に係る回転清掃体と電気掃除機の一実施例を図面に基づいて説明する。
【実施例】
【００１０】
図１に示す電気掃除機２０は、掃除機本体２１と、この掃除機本体２１に着脱自在に接続されたホース２２と、このホース２２の他端の手元操作管２３に着脱自在に接続された延長管２４と、この延長管２４の先端部に着脱自在に接続された吸込口体３０等とを備えている。手元操作管２３には操作部２３Ａが設けられており、この操作部２３Ａには図示しない操作スイッチが設けられている。
【００１１】
掃除機本体２１には、集塵容器２５と、この集塵容器２５内に塵埃を集塵させるための電動送風機(図示せず)とが設けられている。集塵容器２５は掃除機本体２１から着脱自在に取り外せるようになっている。
【００１２】
吸込口体３０は、図２および図３に示すように、底壁面（底面）３１Ａに吸込開口３２を有する吸込室３３を形成した吸込口本体３１と、吸込室３３に回転自在に配置した回転清掃体６０と、吸込口本体３１の後部に前後方向に延びる軸線回りに回転可能に取り付けられた回転管３４と、この回転管３４に前後方向に回動可能に取り付けられた接続管３６等とを備えている。Ｖは吸込口体３０に取り付けたバンパーである。
【００１３】
また、底面３１Ａの右側（図３において）には、吸込口体３０が被清掃面上に置かれたか否かを検知するローラ３９が設けられており、このローラ３９は底面３１Ａに対して上下動するようになっている。そして、吸込口体３０が被清掃面上に置かれると、ローラ３９は上方に移動して吸込口体３０が被清掃面上に置かれたことを検知するようになっている。
【００１４】
また、吸込口本体３１は、回転管３４を有する本体ケース４０と、この本体ケース４０の上面に着脱可能に装着される蓋ケース４１と、この蓋ケース４１の凹部４２に取り付けられた前面蓋５０とを備えており、この本体ケース４０と蓋ケース４１とによって吸込室３３が形成されている。そして、本体ケース４０から蓋ケース４１を取り外すと、吸込室３３の上面と前面とが開放され、回転清掃体６０に絡み付いた糸クズなどの除去が簡単に行えるとともに、回転清掃体６０の取り外しが簡単に行えるようになっている。
【００１５】
前面蓋５０は、下にいくにしたがって前方への突出量が大きくなるように斜めに傾斜して前方へ突出し、バンパーＶの前端面Ｖａよりも前方に突出している。そして、前面蓋５０の下部５０ａと被清掃面との間に所定の隙間（図示せず）が形成されており、この隙間から塵埃が吸引できるようになっている。
【００１６】
また、前面蓋５０は、壁等に押しつける上部に設けた図示しない軸の回りに回動して吸込室３３側へ引き込むようになっている。この前面蓋５０が引き込むと、前面蓋５０の下部５０ａと被清掃面との間の隙間が狭くなり、この隙間から吸引される吸引力が増加するようになっている。これにより、壁際の塵埃を効率よく清掃することができる。
【００１７】
回転清掃体６０は、図示しないモータによって回転駆動されるようになっており、吸込口体３０が被清掃面上に置かれたことをローラ３９が検知しないときには、モータの駆動は停止され、回転清掃体６０の回転は停止されるようになっている。
【００１８】
また、回転清掃体６０は、図４および図５に示すように、長手方向に沿って螺旋状に形成された複数の挿入溝６１〜６３を有する金属製の回転軸部６５と、挿入溝６１,６２,６１,６２に保持される樹脂製の２つの清掃体７０,７０と、挿入溝６３,６３に保持される払拭部材８０,８０とを備えている。払拭部材８０,８０の高さは清掃体７０,７０の高さより高く設定されている。
【００１９】
回転軸部６５には、挿入溝６１〜６３を仕切るように仕切壁部６６〜６８が形成されており、各仕切壁部６６〜６８の先端部の両端側には周方向側へ突出した突出部６６ａ〜６８ａが形成されている。この突出部６６ａ〜６８ａにより挿入溝６１〜６３の開口の幅が狭くなっている。
【００２０】
また、仕切壁部６６の中間部には反時計回りの方向へ突出した突起６６ｂが形成され、仕切壁部６７の中間部には時計回りの方向へ突出した突起６７ｂが形成され、仕切壁部６８の中間部の両側には周方向へ突出した突起６８ｂが形成されている。
【００２１】
清掃体７０は、挿入溝６１,６２に挿入された保持部（挿入保持部）７１,７２と、この保持部７１,７２から径方向へ延びたリブ部７３,７４と、このリブ部７３,７４を連結するとともに回転軸部６５の外周面に沿って配置されたブリッジ部（連結部）７５と、このブリッジ部７５の両端部から径方向へ突出するとともに回転軸部６５の長手方向に沿って螺旋状に延びるブレード部（清掃部材）７６,７７と、このブレード部７６,７７間に設けられたブレード部７８,７９とを有しており、これらが一体に形成されている。
【００２２】
そして、ブレード部７６,７７はリブ部７３,７４の近傍位置に設けられた状態となっており、ブレード部７８,７９はリブ部７３,７４間の位置に設けられた状態となっている。また、ブレード部７６,７７の幅はブレード部７８,７９の幅より大きく設定され、ブレード部７６,７７の腰の強さがブレード部７８,７９の腰の強さより強くなっている。
【００２３】
保持部７１,７２は、両側方へ突出した突出部７１ａ,７２ａが形成されており、保持部７１,７２が図５に示すように回転軸部６５の挿入溝６１,６２に挿入されている。そして、保持部７１,７２の突出部７１ａ,７２ａが仕切壁部６６〜６７の突出部６６ａ〜６８ａに係止し、保持部７１,７２が挿入溝６１,６２から抜けないようになっている。すなわち、保持部７１,７２の幅が挿入溝６１,６２の開口の幅より広くなっている。
【００２４】
また、保持部７２の側面（周方向側の側面）に仕切壁部６６,６８の突起６６ｂ,６８ｂが当接しており、保持部７２が挿入溝６２内でがたつかないようになっている。
【００２５】
払拭部材８０は、図５に示すように、回転軸部６５の挿入溝６３に挿入された樹脂製の基部８１と、この基部８１に植毛されたブラシ部材８２とから構成されている。
【００２６】
基部８１の両端には、周方向へ突出する突出部８１ａが形成され、この突出部８１Ａが仕切壁部６７,６８の突出部６７ａ,６８ａに係止し、基部８１が挿入溝６３から抜けないようになっている。
【００２７】
また、基部８１の底面に仕切壁部６７,６８の突起６７ｂ,６８ｂが当接しており、基部８１が挿入溝６３内でがたつかないようになっている。
［動  作］
次に、上記のように構成される回転清掃体６０を備えた吸込口体３０および電気掃除機２０の動作について説明する。
【００２８】
先ず、図１に示すように、掃除機本体２１にホース２２を接続し、このホース２２の手元操作管２３に延長管２４を介して吸込口体３０を接続する。そして、操作部２３Ａの図示しないスイッチを操作すると電動送風機が駆動される。この電動送風機の駆動により、吸込口体３０の吸込開口３２から空気とともに塵埃が吸引されていく。
【００２９】
この吸引された塵埃および空気が延長管２４およびホース２２を介して掃除機本体２１の集塵容器２５内へ吸引されていく。この集塵容器２５内で塵埃と空気が分離され、分離された塵埃が集塵容器２５内に蓄積され、その空気は電動送風機へ吸引されていく。
【００３０】
他方、吸込口体３０のモータが駆動されて回転清掃体６０が回転駆動されていき、この回転清掃体６０の回転によりブレード部７６〜７９,７６〜７９が絨毯等の被清掃面に付着している塵埃を掻き上げていく。この掻き上げられた塵埃は、延長管２４およびホース２２を介して掃除機本体２１の集塵容器２５内へ吸引されていく。
【００３１】
被清掃面が床面などであるときには、回転清掃体６０の払拭部材８０が床面を払拭していく。この場合、回転清掃体６０のブレード部７６〜７９,７６〜７９は高さが低いことにより床面に接触しない。
【００３２】
回転清掃体６０には、８つのブレード部７６〜７９,７６〜７９が設けられているので、回転清掃体６０が１回転するときに塵埃の掻き上げがより多く行われることになる。すなわち、清掃面をより多く清掃することができる。
【００３３】
また、各清掃体７０は、２つの保持部７１,７２を挿入溝６１,６２に挿入して回転軸部６５に取り付けているものであり、各ブレード部７６〜７９毎に保持部を設けて取り付けていないものであるから、その回転軸部６５を大きくしなくても、各清掃体７０を回転軸部６５に強固に取り付けることができる。すなわち、回転軸部６５を大きくしなくても、保持部７１,７２の数が少ないことにより保持部７１,７２の突出部７１ａ,７２ａを大きくすることができ、このため、各清掃体７０の回転軸部６５への取り付けが強固なものとなる。
【００３４】
図６は他の例の清掃体１７０を示したものである。この清掃体１７０は、両端にあるブレード部１７６,１７７の肉厚を他のブレード部７８,７９の肉厚より厚くしてブレード部１７６,１７７の腰をブレード部７８,７９の腰より強くしたものである。
【００３５】
これは、回転清掃体６０が回転しているとき、保持部７１,７２が挿入溝６１,６２に挿入されて固定されていることにより、ブレード部７８,７９に比べてブレード部１７６,１７７に加わる力が大きく、このためブレード部１７６,１７７の強度を大きくしたものである。
【００３６】
図７は別な他の例の清掃体２７０を示したものである。この清掃体２７０は、ブレード部１７８,１７９の高さを両端部にあるブレード部７６,７７の高さより高くしたものである。すなわち、ブレード部７６,７７の高さをブレード部１７８,１７９の高さより低くすることにより、ブレード部７６,７７の腰をブレード部１７８,１７９の腰より強くしたものである。
［第２実施例］
図８は、第２実施例の清掃体３７０を示したものである。この清掃体３７０は、ブレード部７６とブレード部７７との間に払拭部材１８０を取り付けたものである。払拭部材１８０は、樹脂製の基部１８１と、この基部１８１に植毛されたブラシ１８２とから構成されている。
【００３７】
基部１８１はブリッジ部７５に設けた逆Ｌ字形の一対の係止部３７１,３７２によって係止されている。すなわち、この係止部３７１,３７２により払拭部材１８０の基部１８１がブリッジ部７５に固定されている。
【００３８】
この第２実施例によれば、清掃体３７０に払拭部材１８０を取り付けたものであるから、回転軸部６５（図５参照）の挿入溝６３が不要となり、回転軸部６５を小さくすることができる。
［第３実施例］
図９は第３実施例の回転清掃体４６０を示したものである。この回転清掃体４６０は、回転軸部４６５と、この回転軸部４６５に取り付けた清掃体４７０とから構成されている。
【００３９】
回転軸部４６５には１つの挿入溝４６６が形成され、この挿入溝４６６の開口４６６Ａの両縁部には突出部４６６ｂが形成されている。
【００４０】
清掃体４７０は、回転軸部４６５の外周囲に巻き付けたブリッジ部４７５と、このブリッジ部４７５の両端部に設けられるとともに挿入溝４６６へ延びたリブ部４７３,４７４と、リブ部４７３,４７４の下部（図９において）に形成されるとともに挿入溝４６６に挿入された保持部４７１,４７２と、そのブリッジ部４７５の両端部に形成されるとともに径方向へ延びたブレード部４７６,４７７と、このブレード部４７６,４７７間に設けた複数のブレード部４８８とを有している。
【００４１】
保持部４７１には右側（図９において）に突出した突出部４７１ａが形成され、保持部４７１の左側面には凹部４７１ｂが形成されている。そして、保持部４７１の突出部４７１ａが挿入溝４６６の突出部４６６ｂに係止されている。
【００４２】
また、保持部４７２には左側（図９において）に突出した突出部４７２ａが形成され、保持部４７２の右側面には突起４７２ｂが形成され、この突起４７２ｂが保持部４７１の凹部４７１ｂに係合されている。
【００４３】
そして、保持部４７２の突出部４７２ａが挿入溝４６６の突出部４６６ｂに係止され、さらに保持部４７２の突起４７２ｂが保持部４７１の凹部４７１ｂに係合し且つ保持部４７１の突出部４７１ａが挿入溝４６６の突出部４６６ｂに係止していることにより、保持部４７１,４７２が挿入溝４６６から抜けないようになっている。
【００４４】
この第３実施例の回転清掃体４６０によれば、回転軸部４６５に設ける挿入溝４６６が１つであることにより、回転軸部４６５を小さくすることができ、さらに清掃体４７０の保持部４７１を回転軸部４６５の挿入溝４６６に挿入し、清掃体４７０のブリッジ部４７５を回転軸部４６５に巻き付けて、清掃体４７０の保持部４７２を回転軸部４６５の挿入溝４６６に挿入すればよいので、回転清掃体４６０の組み付けを簡単に行うことができる。
［第４実施例］
図１０は第４実施例の回転清掃体５６０を示したものである。この回転清掃体５６０では、挿入溝６１,６２に挿入される保持部５７１,５７２の外側の突出部をカットし、内側だけに突出部５７１ａ,５７２ａを設け、仕切壁部６６の両側の仕切壁部５６７,５６８の先端部に仕切壁部６６と反対側へ突出する突出部５６７ａ,５６８ａを設けて、回転軸部５６５に設けた挿入溝６３の数を増やして払拭部材８０の取り付ける数を増やしたものである。
【図面の簡単な説明】
【００４５】
【図１】この発明に係る電機掃除機の外観を示した斜視図である。
【図２】図１に示す電気掃除機の吸込口体を示した斜視図である。
【図３】図２に示す吸込口体の底面を示した底面図である。
【図４】図１に示す吸込口体に設けた回転清掃体を示した正面図である。
【図５】回転清掃体の構成を示した断面図である。
【図６】他の例の清掃体を示した説明図である。
【図７】別な他の例の清掃体を示した説明図である。
【図８】第２実施例の清掃体を示した説明図である。
【図９】第３実施例の回転清掃体の構成を示した断面図である。
【図１０】第４実施例の回転清掃体の構成を示した断面図である。
【図１１】従来の回転清掃体を示した斜視図である。
【図１２】従来の回転清掃体の構成を示した断面図である。
【符号の説明】
【００４６】
６０        回転清掃体
６１        挿入溝
６２        挿入溝
６５        回転軸部
７０        清掃体
７１        挿入保持部
７２        挿入保持部
７５        連結部
７６〜７９  ブレード部（清掃部材）
【図１】
2006026222.tif 000003
【図２】
2006026222.tif 000004
【図３】
2006026222.tif 000005
【図４】
2006026222.tif 000006
【図５】
2006026222.tif 000007
【図６】
2006026222.tif 000008
【図７】
2006026222.tif 000009
【図８】
2006026222.tif 000010
【図９】
2006026222.tif 000011
【図１０】
2006026222.tif 000012
【図１１】
2006026222.tif 000013
【図１２】
2006026222.tif 000014